(57)【要約】      （修正有）【課題】走行時の安全性に優れた構造を有するフラットタイプのペットカートの構造を提供する。  【解決手段】本体１１は底部フレーム１１１及び側部フレーム１１２で構成し、該底部フレームの下方に複数の車輪を設ける。回動棒装置１２は接続棒１２１及び伸縮棒を具有し、伸縮棒は接続棒の中央に枢接し、接続棒に相対して回動することができる。固定装置１３は固定台１３１及び接続ベルト１３２を具有し、固定台を伸縮棒の中央に設置し、該接続ベルトの一端は固定台の上方に接続し、別端は側部フレームの上方中央に接続することで、該固定台を上向きに移動させ、かつ伸縮棒の外向きに回動する角度を制限することができる。従って、全体を水平状態に保って安定して移動することができる。【選択図】図３
0003172591.tif 000002
【実用新案登録請求の範囲】
【請求項１】
本体、回動装置、固定装置を含み、
本体は底部フレーム及び側部フレームで構成し、該側部フレームは底部フレームの後ろ側に位置し、底部フレームの下方に複数の車輪を設け、
回動棒装置は接続棒及び伸縮棒を具有し、接続棒は底部フレームの後ろ側に、側部フレームの下方に位置し、伸縮棒は接続棒の中央に枢接し、接続棒に相対して回動することができ、側部フレームと隣接して、及び側部フレームと離して使用することができ、
固定装置は固定台及び接続ベルトを具有し、固定台を伸縮棒の中央に設置し、固定台は上下に移動することができ、
該接続ベルトの一端は固定台の上方に接続し、別端は側部フレームの上方中央に接続することで、該固定台を上向きに移動させ、かつ伸縮棒の外向きに回動する角度を制限することを特徴とするフラットタイプのペットカートの構造。
【請求項２】
前記底部フレームの前方下方の両端にそれぞれ下向きに一つの伸縮可能のパイプを設け、該伸縮可能のパイプの外側に第一車輪、該側部フレームの下方両端に第二車輪セットを延伸して設けることを特徴とする請求項１記載のフラットタイプのペットカートの構造。
【請求項３】
前記伸縮可能のパイプを底部フレームの前方下方の左右両サイドに設置し、前後の方向に回転することを特徴とする請求項２記載のフラットタイプのペットカートの構造。
【請求項４】
前記第二車輪セットは二つの第二車輪を含み、該第二車輪セットを側部フレームの下方左右の両サイドに設置し、該車輪は３６０度回転することを特徴とする請求項２記載のフラットタイプのペットカートの構造。
【請求項５】
前記伸縮棒の中央に一つの定位リングを設け、該定位リングを該伸縮棒の外側に套設することを特徴とする請求項１記載のフラットタイプのペットカートの構造。
【請求項６】
前記固定台の片側に二つのスライド溝を設置し、該固定台は二つのロック部品を該スライド溝に通すことにより、定位リングに固定し、そのため、固定台は該定位リングに相対して上下に移動できることを特徴とする請求項５記載のフラットタイプのペットカートの構造。
【請求項７】
前記伸縮棒を該側部フレームと隣接する際、該固定台は上から下向きに側部フレームの上方に掛合することで、伸縮棒を側部フレームに固定することを特徴とする請求項１記載のフラットタイプのペットカートの構造。
【請求項８】
前記伸縮棒を該側部フレームと隣接する際、該接続ベルトは上向きにアーチ型に盛り上がり、一つのリング型を形成することを特徴とする請求項１記載のフラットタイプのペットカートの構造。
【請求項９】
前記底部フレームは開口部を後ろに持つコの字型のフレームであり、側部フレームは開口部を下向きに持つコの字型のフレームであることを特徴とする請求項１記載のフラットタイプのペットカートの構造。
【請求項１０】
前記底部フレームと側部フレームの間にそれぞれ回動できる接続シートを設けることで、底部フレームが側部フレームに向けて折りたたんで収納することができることを特徴とする請求項９記載のフラットタイプのペットカートの構造。
【考案の詳細な説明】
【技術分野】
【０００１】
本考案はフラットタイプのペットカートの構造に関し、特に水平移動ができるフラットタイプのペットカートを指し、進行時の安定性を保つことができ、ペットを乗せている際に、安定及び安全に進行できるフラットタイプのペットカートの構造に関する。
【背景技術】
【０００２】
現代社会では少子化の上に、結婚しないもしくはディンクスの夫婦がますます増えているため、ペットを飼う人が増えてきた。独身でも結婚家庭でも、ペットを生活の癒しとする傾向がある。研究調査によると、ペットを飼うことで、心身ともに健康になることが分かった。多くのペットの中で、犬は最もポピュラーなペットである。飼い主のストレスを解消することができるほか、犬は人類の最も忠実な動物であるため、愛情のある飼い主は往々にして犬を自分の子供のように面倒を見、頻繁に散歩に出かける。
【０００３】
犬を散歩に連れて出ると、最も基本装備であるリードのほか、飼い主は道路の汚れやばい菌が附くのを恐れたり、或いはデパートなどの公共施設において、犬が走り回るのを恐れたりするため、ペットカートを使用する。犬が安心してペットカート内にあるバッグにいることで、犬に汚れとばい菌が付着するのを防止することができるほか、走り回ることで、犬を怖がる人をびっくりさせてしまうのを避けることができるため、ペットカートはよく見かける一つのペットツールである。  
【０００４】
図１に示すのは、従来技術のペットカートの使用状態の側視図である。一般的に販売されているペットカートの構造を使用する際は、カートを引っ張るみたいに、全体を飼い主の方向に傾斜して移動する。よって、ペットカートは傾斜した状態となるため、ペットカート内にいるペットも片側に傾斜することで、重心が不安定となりやすく、怖がってカートから飛び出して危険である。また、従来技術のペットカートは前後にのみ移動が可能であり、３６０度回転することができないなど、スムーズに使用できないなど、更なる改善が必要であった。
【先行技術文献】
【特許文献】
【０００５】
【特許文献１】特開２０１１−５５８２４号公報
【考案の概要】
【考案が解決しようとする課題】
【０００６】
前記公知構造の欠点を解決するため、本考案の第１の目的は、全体的に安定し、移動する過程でも水平状態を保ち、ペットが快適に安心してペットカート内に座ることのできるフラットタイプのペットカートの構造を提供することにある。
本考案の第２の目的は、シンプルな構造により製造コスト抑え、マーケットのニーズに合致し、応用範囲を広げるフラットタイプのペットカートの構造を提供することにある。
【課題を解決するための手段】
【０００７】
前記課題を解決するため、本考案はフラットタイプのペットカートの構造を提供するものであり、本体、回動装置、固定装置を含む。本体は底部フレーム及び側部フレームで構成し、側部フレームは底部フレームの後ろ側に位置し、該底部フレームの下方に複数の車輪を設ける。回動棒装置は接続棒及び伸縮棒を具有し、接続棒は底部フレームの後ろ側に、側部フレームの下方に位置する。伸縮棒は接続棒の中央に枢接し、接続棒に相対して回動することができ、側部フレームと隣接して、及び側部フレームと離して使用することができる。固定装置は固定台及び接続ベルトを具有し、固定台を伸縮棒の中央に設置することで、固定台は上下に移動することができる。該接続ベルトの一端は固定台の上方に接続し、別端は側部フレームの上方中央に接続することで、該固定台を上向きに移動させ、かつ伸縮棒の外向きに回動する角度を制限することができる。
【０００８】
最良実施例では、底部フレームの前方下方の左右両サイドにそれぞれ下方に向けて伸縮可能のパイプを延伸し、その先の外側に第一車輪を設け、側部フレームの下方左右の両サイドにそれぞれ第二車輪セットを設ける。各第二車輪セットは二つの第二車輪を含み、第二車輪は３６０度回転する。伸縮棒が側部フレームと隣接する際、接続ベルトは上向きにアーチ型に盛り上がり、一つのリング型を形成する。
【０００９】
従来技術と比べ、本考案のフラットタイプのペットカートは主に移動する際、回動棒装置により、本体を水平に移動できるように保持するために、移動時の安定性を持続し、ペットが乗る際に安定して快適であり、不安感を持つのを避ける。更に移動中にペットが不安感を持つことで、カートから飛び出す危険な状況を避けることができる。また、本考案の第二車輪セットが３６０度回転するため、使用時、全体的によりスムーズで、より実用性がアップする。
【考案の効果】
【００１０】
本考案のフラットタイプのペットカートの構造は、全体的に安定し、移動する過程でも水平状態を保ち、本体が傾斜することによりペットが不安感を感じることなく、快適に安心してペットカート内に乗ることができる。
【図面の簡単な説明】
【００１１】
【図１】従来技術のフラットタイプのペットカートの使用状況の参考略図である。
【図２】本考案のフラットタイプのペットカートの最良実施例の立体構造図である。
【図３】本考案のフラットタイプのペットカートの最良実施例の別の立体構造図である。
【図４】本考案のフラットタイプのペットカートの最良実施例の一部後視図である。
【図５】本考案のフラットタイプのペットカートの最良実施例の側視図である。
【図６】本考案のフラットタイプのペットカートの接続ベルトを上向きに引っ張る側視図である。
【図７】本考案のフラットタイプのペットカートの伸縮棒を後方に回動する側視図である。
【図８】本考案のフラットタイプのペットカートの使用状態参考図である。
【考案を実施するための形態】
【００１２】
本考案によるフラットタイプのペットカートの構造を明確に示すために図に沿って詳細な説明を行う。
【００１３】
ただし、以下の図式は略図であり、略式で本考案の基本構造を説明している。図式では本考案と関連のある構造のみを示し、実際実施する際の部品の数量や形状、及びサイズに基づいていない。実際実施する際の各部品の形態や数量及び比例は図式の限りではなく、実際のデザインにより変化をする必要がある。
【実施例】
【００１４】
図２及び図３に示すのは、本考案のフラットタイプのペットカートの最良実施例の立体構造図及び別の立体構造図である。本考案に含まれるのは本体１１、回動棒装置１２及び一つの固定装置１３である。
【００１５】
本体１１は底部フレーム及び側部フレーム１１２で構成する。側部フレーム１１２は底部フレーム１１１の後ろ側に位置し、底部フレーム１１１の前方下方の左右両サイドにそれぞれ下方に向けて伸縮可能のパイプ１１３を延伸し、その先の外側に第一車輪１１４を設け、側部フレーム１１２の下方左右の両サイドにそれぞれ第二車輪セット１１５を設ける。第一車輪１１４は前後方向に回転することができる。第二車輪セット１１５は二つの第二車輪を含み、第二車輪セット１１５は３６０度回転する。また、底部フレーム１１１と側部フレーム１１２の間にそれぞれ回動できる接続シートを設けることで、底部フレーム１１１が側部フレーム１１２に向けて折りたたんで収納することができる。
【００１６】
回動棒装置１２は接続棒１２１及び伸縮棒１２２を具有し、接続棒１２１は底部フレーム１１１の後ろ側に、側部フレーム１１２の下方に位置する。伸縮棒１２２は接続棒１２１の中央に枢接し、伸縮棒１２２は伸縮可能であり、接続棒１２１に相対して回動することができ、側部フレーム１１２と隣接して、及び側部フレーム１１２と離して使用することができる。伸縮棒１１２の中央部分に定位リング１２３を設け、該定位リング１２３を伸縮棒１２２の外側に套設する。
【００１７】
固定装置１３は固定台１３１及び接続ベルト１３２を具有し、固定台１３１を伸縮棒１２２の中央に設置し、固定台１３１は上下に移動することができる。接続ベルト１３２の一端は固定台１３１の上方に接続し、固定台１３１を上向きに移動し、接続ベルト１３２の別端は側部フレーム１１２の上方中央に接続する。  
【００１８】
図４に示すのは、本考案のフラットタイプのペットカートの最良実施例の一部後視図である。図に示すように、固定台１３１の後ろ側に二つのスライド溝１３３を設け、固定台１３１は二つのロック部品１３４を通じて、スライド溝１３３に通して定位リング１２３に固定することで、固定台１３１が定置リング１２３に相対して上下に移動する。
【００１９】
本実施例では、底部フレーム１１１は開口部を後ろに持つコの字型のフレームであり、側部フレーム１１２は開口部を下向きに持つコの字型のフレームである。フレームの形状はこれに限られるものではなく、ほかの実施例でも、その他の同じ効果の構造とすることができる。
【００２０】
図５、図６、図７及び図８に示すのは、本考案のフラットタイプのペットカートの最良実施例の側視図、接続ベルトを上向きに引っ張る側視図、伸縮棒を後方に回動する側視図及び使用状態参考図である。図に示すように、接続ベルト１３２は上向きにアーチ型に盛り上がり、一つのリング型を形成する。実際使用する際は、まず接続ベルト１３２を上向きに引っ張ると、接続ベルト１３２は固定台１３１と共に上向きに移動することで、固定台１３２は側部フレーム１１２から離脱し、伸縮棒１２２が後方に回動する。また、接続ベルト１３２により、伸縮棒１２２が後方に回動する角度を制限し、伸縮棒１２２が適切な角度内で回動するのをコントロールし、伸縮棒１２２が回動する角度が大きすぎて、地面にまで垂れるのを防止することができる。図８に示すように、使用する際、ペットバッグ２を底部フレーム１１１の上方に乗せると、水平にフラットタイプのペットカート１を動かすことができ、移動中も安定してスムーズであるため、乗っているペット３も安心で快適である。
【００２１】
また、異なる使用状況において、例えば道路を渡る際、ユーザーが速いスピード移動する必要がある場合、同じく固定台１３１を再度側部フレーム１１２の上方に定位付けし、図５の状態に戻すと、従来技術のように、傾斜してフラットタイプのペットカート１を移動することができる。
【産業上の利用可能性】
【００２２】
本考案のフラットタイプのペットカート１はペットのサイズに基づき、全体のサイズを変更することができるため、小型犬、中型犬、大型犬のいずれも適用する。また、全体構造がシンプルであり、明らかにコストを下げるほか、操作も簡単である。使用しない場合、底部フレーム１１１と側部フレーム１１２を折りたたんで収納できるため、スペースをとらず、且つ外出時に携帯して使用するのが便利である。
【符号の説明】
【００２３】
１  フラットタイプのペットカート
１１  本体
１１１  底部フレーム
１１２  側部フレーム
１１３  伸縮可能のパイプ
１１４  第一車輪
１１５  第二車輪セット
１２  回動棒装置
１２１  接続棒
１２２  伸縮棒
１２３  定位リング
１３  固定装置
１３１  固定台
１３２  接続ベルト
１３３  スライド溝
１３４  ロック部品
２  ペットバッグ
３  ペット
【図１】
0003172591.tif 000003
【図２】
0003172591.tif 000004
【図３】
0003172591.tif 000005
【図４】
0003172591.tif 000006
【図５】
0003172591.tif 000007
【図６】
0003172591.tif 000008
【図７】
0003172591.tif 000009
【図８】
0003172591.tif 000010
【手続補正書】
【提出日】平成23年10月21日(2011.10.21)
【手続補正１】
【補正対象書類名】実用新案登録請求の範囲
【補正対象項目名】全文
【補正方法】変更
【補正の内容】
【実用新案登録請求の範囲】
【請求項１】
本体、回動棒装置、固定装置を含み、
本体は底部フレーム及び側部フレームで構成し、該側部フレームは底部フレームの後ろ側に位置し、底部フレームの下方に複数の車輪を設け、
前記回動棒装置は接続棒及び伸縮棒を具有し、接続棒は底部フレームの後ろ側に、側部フレームの下方に位置し、伸縮棒は接続棒の中央に枢接し、接続棒に相対して回動することができ、側部フレームと隣接して、及び側部フレームと離して使用することができ、
固定装置は固定台及び接続ベルトを具有し、固定台を伸縮棒の中央に設置し、固定台は上下に移動することができ、
前記伸縮棒を該側部フレームと隣接する際、該固定台は上から下向きに側部フレームの上方に掛合することで、伸縮棒を側部フレームに固定し、
該接続ベルトの一端は固定台の上方に接続し、別端は側部フレームの上方中央に接続することで、該固定台を上向きに移動させ、かつ伸縮棒の外向きに回動する角度を制限することを特徴とするフラットタイプのペットカートの構造。
【請求項２】
前記底部フレームの前方下方の両端にそれぞれ下向きに一つの伸縮可能のパイプを設け、該伸縮可能のパイプの外側に第一車輪、該側部フレームの下方両端に第二車輪セットを延伸して設けることを特徴とする請求項１記載のフラットタイプのペットカートの構造。
【請求項３】
前記伸縮可能のパイプを底部フレームの前方下方の左右両サイドに設置し、前記第一車輪は前後の方向に回転することを特徴とする請求項２記載のフラットタイプのペットカートの構造。
【請求項４】
前記第二車輪セットは二つの第二車輪を含み、該第二車輪セットを側部フレームの下方左右の両サイドに設置し、該車輪は３６０度回転することを特徴とする請求項２記載のフラットタイプのペットカートの構造。
【請求項５】
前記伸縮棒の中央に一つの定位リングを設け、該定位リングを該伸縮棒の外側に套設することを特徴とする請求項１記載のフラットタイプのペットカートの構造。
【請求項６】
前記固定台の片側に二つのスライド溝を設置し、該固定台は二つのロック部品を該スライド溝に通すことにより、定位リングに固定し、そのため、固定台は該定位リングに相対して上下に移動できることを特徴とする請求項５記載のフラットタイプのペットカートの構造。
【請求項７】
前記伸縮棒を該側部フレームと隣接する際、該接続ベルトは上向きにアーチ型に盛り上がり、一つのリング型を形成することを特徴とする請求項１記載のフラットタイプのペットカートの構造。
【請求項８】
前記底部フレームは開口部を後ろに持つコの字型のフレームであり、側部フレームは開口部を下向きに持つコの字型のフレームであることを特徴とする請求項１記載のフラットタイプのペットカートの構造。
【請求項９】
前記底部フレームと側部フレームの間にそれぞれ回動できる接続シートを設けることで、底部フレームが側部フレームに向けて折りたたんで収納することができることを特徴とする請求項８記載のフラットタイプのペットカートの構造。